(57)【要約】【課題】大災害発生時等に、緊急避難用として使用される、ペット用キャリーケージを用いたペット管理システムを提供する。【解決手段】管理システムＳは、情報管理者が運営、管理するコンピュータ１０、商品販売者の端末装置２０、委託業者の端末装置の６０で構成される情報管理グループと、ペット飼い主、獣医師の端末装置３０、保健所の端末装置４０、動物愛護センターの端末装置５０及び行方不明ペットを発見、通報する善意の発見者Ｈ１、Ｈ２…からなるペット支援グループで構成されている。【選択図】図１
2007209322.tif 000002
【特許請求の範囲】
【請求項１】
ペット用キャリーケージ及びペット関連商品を販売する商品販売者と、ペット及びペット用キャリーケージに関する情報管理、保険業務を行う情報管理者と、前記商品販売者及び情報管理者と業務契約した緊急時対応委託業者からなる、情報管理グループと、
ペット及びペット用キャリーケージの飼い主、獣医師、保健所、公共の動物保護センター及び行方不明ペットの発見者等からなる、ペット支援グループからなる、
ペット用キャリーケージを用いたペット管理システムであって、
ペット用キャリーケージ等の商品販売者は、筒状カバー付きペット用キャリーケージを販売する毎に、該キャリーケージの管理番号と同一の管理番号入りのペット用識別タグを無償で付与すると共に、キャリーケージ購入者であるペット飼い主名、ペット名等の情報記載欄を設けたハガキを付与し、
情報管理者は、ペット飼い主からの前記ハガキに記載された各種情報を登録するために、保有のコンピュータに管理番号、ペット飼い主の個人情報、ペット情報等を入力する入力手段と、
前記入力情報をデータベースに蓄積する蓄積手段と、
管理番号に関連する情報をデータベースで検索する検索手段と、
ペット飼い主の個人情報、ペット情報等の管理、更新を行う管理手段と、
前記キャリーケージ購入者であるペット飼い主、獣医師、保健所、公共の動物保護センター、緊急時対応委託業者及び商品販売者との通信手段とを、
具備していることを特徴とする、ペット用キャリーケージを用いたペット管理システム。
【請求項２】
前記情報管理者は、該情報管理者から遠隔地で営業する営業支店の端末装置に、ペット飼い主からのハガキによるキャリーケージの管理番号、ペット飼い主の個人情報、ペット情報等を、インターネット又はＬＡＮを介した通信手段又はその他の連絡手段で通知することを特徴とする、請求項１に記載のペット用キャリーケージを用いたペット管理システム。
【請求項３】
前記情報管理者は、ペット飼い主に対して所定期間毎にペットの管理又は保険等の更新を、ペット飼い主が所望する連絡手段で通知し、所定の更新管理料又は保険料等を受領すると共に、前記商品販売者に対して、当該ペットについての更新情報を提供すると共に関連商品の販売、納入等をインターネット又はＬＡＮを介した通信手段又はその他の連絡手段で通知することを特徴とする、請求項１〜請求項２に記載のペット用キャリーケージを用いたペット管理システム。
【請求項４】
前記商品販売者は、キャリーケージ不購入者でペットの管理を希望するペット飼い主には、キャリーケージ管理番号と異なる管理番号入りの識別タグを販売し、その管理番号を、前記情報管理者にインターネット又はＬＡＮを介した通信手段又はその他の連絡手段で通知し、情報管理者は、この情報をキャリーケージと同様の手段でコンピュータ管理することを特徴とする、請求項１〜請求項３に記載のペット用キャリーケージを用いたペット管理システム。
【請求項５】
前記情報管理者は、国内における１〜複数の緊急時対応委託業者と情報管理者が非営業時の業務委託契約を締結していることを特徴とする、請求項１〜請求項４に記載のペット用キャリーケージを用いたペット管理システム。
【発明の詳細な説明】
【技術分野】
【０００１】  本発明は、特に大規模地震、風水害、火災等の災害発生時における、家庭で飼育されている犬、猫等いわゆるペットの緊急避難に際して好適に使用される、ペット用キャリーケージを用いたペット管理システムに関する。
【背景技術】
【０００２】  我国は、国土全体に数多くの活断層が縦横に走っている地震列島で、近年では多数の犠牲者と家屋をはじめ多大の建築物が損壊された、１９９５年の阪神淡路大地震、また２００４年には震度７を記録した新潟県中越大地震、２００５年には九州西方沖地震が発生した。さらに我国は、例年初夏から晩秋にかけては台風の襲来もあり、毎年人的かつ物的に甚大な被害を蒙っている。【０００３】  一方、昨今ではペットブームが到来し、犬、猫、ハムスター、うさぎ、小鳥等の小動物が、いわば家族の一員のように愛玩、飼育され、その数は、推定２０００万頭超ともいわれている。【０００４】  将来的にも、上記のような大規模な災害が発生することは十分に予測され、その際、人間は直ちに避難することが可能であるが、ペットは自力で避難することは困難なので、多数のペットが犠牲になることが憂慮されている。【０００５】  犬、猫等のペットを収容して単に運搬する、ペット用キャリーケージないしバッグとしては、例えば特開２００２−１５９２３５、特開２００２−１５９２３６、特開２００２−１５９２３７、特開２００３−２５０３７３、特開平８−１７２９６０等々が提案、開示されている。
【特許文献１】特開２００２−１５９２３５号公報
【特許文献２】特開２００２−１５９２３６号公報
【特許文献３】特開２００２−１５９２３７号公報
【特許文献４】特開２００３−２５０３７３号公報
【特許文献５】特開平８−１７２９６０号公報
【発明の開示】
【発明が解決しようとする課題】
【０００６】  しかしながら、上記特許文献１〜特許文献５はいずれも、平常時に使用されるペットのキャリーケージないしバッグであり、大規模地震、風水害、火災等が発生したときに必要な緊急避難用のペット用キャリーケージないしバッグ等は、未だ提案されていないのが現状である。【０００７】  本発明者等は、上記現状に鑑みて鋭意検討を重ね、緊急避難用の筒状カバー付きペット用キャリーケージを完成した。本発明の主な目的は、大規模地震等の大災害発生時に、緊急避難用として好適に使用される、キャリーケージを用いたペット管理システムを提供することにある。
【課題を解決するための手段】
【０００８】  その目的を達成するための本発明に係る第１の発明は、ペット用キャリーケージ及びペット関連商品を販売する商品販売者と、ペット及びペット用キャリーケージに関する情報管理、保険業務を行う情報管理者と、前記商品販売者及び情報管理者と業務契約した緊急時対応委託業者からなる、情報管理グループと、ペット及びペット用キャリーケージの飼い主、獣医師、保健所、公共の動物保護センター及び行方不明ペットの発見者等からなる、ペット支援グループからなる、ペット用キャリーケージを用いたペット管理システムであって、ペット用キャリーケージ等の商品販売者は、筒状カバー付きペット用キャリーケージを販売する毎に、該キャリーケージの管理番号と同一の管理番号入りのペット用識別タグを無償で付与すると共に、キャリーケージ購入者であるペット飼い主名、ペット名等の情報記載欄を設けたハガキを付与し、情報管理者は、ペット飼い主からの前記ハガキに記載された各種情報を登録するために、保有のコンピュータに管理番号、ペット飼い主の個人情報、ペット情報等を入力する入力手段と、前記入力情報をデータベースに蓄積する蓄積手段と、管理番号に関連する情報をデータベースで検索する検索手段と、ペット飼い主の個人情報、ペット情報等の管理、更新を行う管理手段と、前記キャリーケージ購入者であるペット飼い主、獣医師、保健所、公共の動物保護センター、緊急時対応委託業者及び商品販売者との通信手段とを、具備していることを特徴としている。【０００９】  第２の発明は、第１の発明に係るペット用キャリーケージを用いたペット管理システムにおいて、前記情報管理者は、該情報管理者から遠隔地で営業する営業支店の端末装置に、ペット飼い主からのハガキによるキャリーケージの管理番号、ペット飼い主の個人情報、ペット情報等を、インターネット又はＬＡＮを介した通信手段又はその他の連絡手段で通知することを特徴としている。【００１０】  第３の発明は、第１及び第２の発明に係るペット用キャリーケージを用いたペット管理システムにおいて、前記情報管理者は、ペット飼い主に対して所定期間毎にペットの管理又は保険等の更新を、ペット飼い主が所望する連絡手段で通知し、所定の更新管理料又は保険料等を受領すると共に、前記商品販売者に対して、当該ペットについての更新情報を提供すると共に関連商品の販売、納入等をインターネット又はＬＡＮを介した通信手段又はその他の連絡手段で通知することを特徴としている。【００１１】  第４の発明は、第１〜第３の発明に係るペット用キャリーケージを用いたペット管理システムにおいて、前記商品販売者は、キャリーケージ不購入者でペットの管理を希望するペット飼い主には、キャリーケージ管理番号と異なる管理番号入りの識別タグを販売し、その管理番号を、前記情報管理者にインターネット又はＬＡＮを介した通信手段又はその他の連絡手段で通知し、情報管理者は、この情報をキャリーケージと同様の手段でコンピュータ管理することを特徴としている。【００１２】  第５の発明は、第１〜第４の発明に係るペット用キャリーケージを用いたペット管理システムにおいて、前記情報管理者は、国内における１〜複数の緊急時対応委託業者と情報管理者が非営��時の業務委託契約を締結していることを特徴としている。
【発明の効果】
【００１３】  本発明に係る、ペット用キャリーケージを用いたペット管理システムは、上記の構成になるから以下の効果を奏する。即ち第１の発明によれば、情報管理者は、キャリーケージ購入者であるペット飼い主からの返送ハガキ及びインターネットを介して送信された情報に基づいて保有のコンピュータに、販売したキャリーケージの管理番号、飼い主の個人情報、ペット情報等を入力し、その入力情報をデータベースに蓄積し、災害発生時には、管理番号に関連する情報をデータベースで検索し、またペット飼い主の個人情報、ペット情報等の管理、更新を管理すると共に保険の契約業務等を行い、また地震、台風、大雨等の大災害が発生したとき、あるいは情報管理者が非営業時においても、ペット又はキャリーケージ管理番号の関連情報に基づいてペットと当該ペット飼い主の判別、またペット負傷時の獣医師の治療や保健所、公共の動物保護センターの対応等が混乱することなく円滑に遂行できる。【００１４】  第２の発明によれば、情報管理者は、該情報管理者から遠隔地で営業する営業支店の端末装置に、ペット飼い主からのハガキによるキャリーケージの管理番号、ペット飼い主の個人情報、ペット情報等を、インターネット又はＬＡＮを介した通信手段又はその他の連絡手段で通知することができるので、情報管理者と営業支店とが大地震、風水害等の被害を同時に被災することがないので、ペットとキャリーケージ管理番号の管理、判別機能その他の対応は、遅滞又は停止することなく円滑に稼働することができる。【００１５】  第３の発明によれば、情報管理者は、ペット飼い主に対して所定期間毎にペットの管理又は保険等の更新を、ペット飼い主が所望する連絡手段で通知し、所定の更新管理料又は保険料等を受領すると共に、前記商品販売者に対して、当該ペットについての更新情報を提供すると共に関連商品の販売、納入等をインターネット又はＬＡＮを介した通信手段又はその他の連絡手段で通知するので、例えば、管理又は保険等の更新を１年毎に行えば、更新管理料又は保険料等を受領できるので、情報管理者の経営が安定し、かつ商品販売者は、緊急用の水、フード、首輪、迷子札等を販売でき、商品販売者も売り上げの増額につながる。【００１６】    第４の発明によれば、商品販売者は、キャリーケージ不購入者でペットの管理を希望するペット飼い主には、キャリーケージ管理番号と異なる管理番号入りの識別タグを販売し、その管理番号を、前記情報管理者にインターネット又はＬＡＮを介した通信手段又はその他の連絡手段で通知し、情報管理者は、この情報をキャリーケージと同様の手段でコンピュータ管理するので、地震、風水害等の災害発生時以外において、ペットが行方不明になってもペットが識別タグを装着しているのでその捜索、発見が容易となる。【００１７】  第５の発明によれば、情報管理者は、国内における１〜複数の緊急時対応委託業者と情報管理者が非営業時の業務委託契約を締結しているので、例えば深夜等に大地震等の災害が発生し、ペットが行方不明になっても、緊急時対応委託業者が常時、情報の収集等適宜に対応することができ、ペットの探索等が容易である。
【発明を実施するための最良の形態】
【００１８】  以下、本発明に係る、ペット用キャリーケージを用いたペット管理システムの好適な実施形態について、図面を参照しながら説明する。図１は、ペット用キャリーケージを用いた管理システムの構成を示すブロック図、図２は、同管理システムにおける全体動作の流れを示すフローチャート、図３は、本発明の管理システムに使用される、ペット用キャリーケージの全体斜視図、図４は、筒状カバーの展開平面図、図５（イ）、（ロ）は、表示体の平面図、図６（イ）、（ロ）は、ペット装着用識別タグの正面図と裏面図、図７は、ペット用キャリーケージの販売者から該ペット用キャリーケージ購入者であるペット飼い主に付与される返信用ハガキ表面の内容の一部を示す表面図、図８は、同ハガキ裏面における記載内容を示す裏面図、図９は、ペット用カルテの表面図、図１０は、同ペット用カルテの裏面図、図１１は、どうぶつ母子手帳の斜視図、図１２は、同どうぶつ母子手帳の内容の一部を示す平面図である。【００１９】  本発明に係る、ペット管理システムに使用されるペット用キャリーケージ（以下、ケージＣという）は、図３〜図５（イ）、（ロ）に示すように、天井部、床部及び側壁部で全体が箱状に形成されたケージ本体（以下、本体１という）、該本体１を囲繞する筒状カバー（以下、カバー２という）、本体１に貼着されるケージＣの管理番号、緊急時の連絡先等を表示した表示体３、緊急用キャリーを示す表示体３’及びショルダーベルト４を主な構成部材としている。【００２０】  本体１を構成する天井部、床部及び側壁部は、硬質合成樹脂材例えば、ポリプロピレン、ＡＢＳ樹脂（アクリロニトリルブタジエンスチレン樹脂）又はポリエチレン等の熱可塑性樹脂のうちから選択され、公知技術の押型成型法等によって一体的に製造されるもので、１ａは前面枠、１ａ’は後面枠、１ｂは格子状の金属線条で形成された扉で本体１の前面開口部１ｃに装着され、ペットの出入時に開閉される。後面開口部１ｃ’は、前面枠１ａと同様に格子状の金属線条で形成された扉で閉塞され（不図示）ている。１ｄは扉１ｂのロック、１ｅは把持部である。【００２１】  図４に示すカバー２は、例えば、塩化ビニール、ポリプロピレン、ナイロン等の半透明又は不透明の軟質合成樹脂材、合成皮革又は帆布等を素材とし、図３及び図４に示すように、一側面に給水ボトル用ポケット２ａ及び面状ファスナー付きペットフード用ポケット２ｂが設けられ、他側面には、ペット飼い主及びペット情報が記載されるカルテ６（図７、参照）、該カルテ６の裏面には、緊急時対応メッセージ欄７（図８、参照）を設けた書面、どうぶつ母子手帳８（図１１、参照）等を収納する開閉具付き収納部２ｃが設けられ、本体１の天井部に装着された把持部１ｅの対応部位には切欠部２ｄが形成されている。２ｅ及び２ｅ’は、カバー２の左右下端縁に縫着された弾性帯状体で、該弾性帯状体２ｅと２ｅ’を介して本体１の天井部、左右側壁部及び床部を囲繞して筒状となすと共に、緊締、固定する。またカバー２の左右側面には、切欠部２ｆ、２ｆ’及び２ｈ、２ｈ’が設けられ、その近傍に縫着された面状ファスナー２ｊ、２ｊ’及び２ｋ、２ｋ’を、本体１の左右側壁部に形成された通気窓の枠体に止着し���強風等によりカバー２が本体１から飛ばされるのを防止する。２ｍ、２ｍ’及び２ｎ、２ｎ’は切欠部である。また本体１の天井部上面の対応部位には、緊急用キャリーを意味するＥＭＥＲＧＥＮＣＹ  ＣＡＲＲＹ２ｇ及び情報管理者の連絡用電話番号２ｔ等が表示されている。【００２２】  図３及び図５（イ）、（ロ）に示す３及び３’は、表示体の一例を示すステッカーで、ステッカー３は、本体１の把持部１ｅの基板に貼着され、図５（イ）に示すように、ケージＣの管理番号３ｃ、緊急時の連絡先３ａ、電話番号３ｂ等が表記されている。また図５（ロ）に示す、ステッカー３’の表面には「獣医師の考えた緊急キャリーケージ」としたメッセージと英文字「ＥＭＥＲＧＥＮＣＹ  ＣＡＲＲＹ」が表記され、本体１における視認容易な部位、例えば図３に示すように前面枠１ａの上桟等に貼着される。【００２３】  図３における、４はショルダーベルトで、その両端には本体１の前面枠１ａ及び後面枠１ａ’に張設された金属線条に掛吊されるフック４ａ、４ａ’が装着され、そのほぼ中間には移動可能な肩当てパッド４ｂが設けられ、該肩当てパッド４ｂとフック４ａ又は４ａ’のほぼ中間には長さ調整具４ｃが摺動可能に装着されている。【００４２】  図６（イ）、（ロ）に示すのは、ケージＣに収容されるペットに装着する識別タグ５で、（イ）はその正面部で、少なくともペットの名前５ａ、ケージＣを購入した時に商品販売者から付与される管理番号５ｂ’等が表記されている。（ロ）は識別タグ５の裏面部で、ペット飼い主の名前５ｃ欄と共に、情報管理者の名前と連絡用電話番号５ｅ等が表記されている。なお、５ｄはペットに装着する紐等の挿通孔である。また識別タグ５に加えてＩＣチップ（不図示）をペットの適切部位に埋設することも可能である。なお、商品販売者は、希望者には識別タグ５のみを所定料金で販売することもあり、その際の管理番号５ｂ’は、ケージＣの購入時に付与する管理番号５ｂとは異なる管理番号５ｂ’例えば、Ｂ０００００２等として、ケージＣの購入者に付与する管理番号５ｂとを区別している。また商品販売者は、販売した識別タグ５に記載した当該の管理番号５ｂ’を情報管理者にＥメール又はその他の手段で通知する。【００２５】  図７は、商品販売者から該ケージＣの購入者であるペット飼い主に付与される返信用ハガキＬの表面部を示し、返信先の宛名（情報管理者）、郵便番号等が表記され、図８に示すハガキＬの裏面部には、上段にペット飼い主の情報欄Ｌａが設けられ、飼い主の名前、電話番号、住所、緊急連絡先等が記載され、下段にはペットの情報欄Ｌｂが設けられ、ペットの名前、種類、品種、性別、生年月日、ＩＣチップの種類等の他、ケージＣを購入時に商品販売者から付与される管理番号５ｂ等の記載欄が設けられている。ケージＣ購入者のペット飼い主は、このハガキＬを情報管理者に郵送する。【００２６】  図９は、ペット用カルテ６の表面部を示し、管理番号記載欄、ペットの写真貼付欄の他、上段に返信用ハガキＬで連絡されたペット飼い主の情報欄６ａが設けられ、下段には同じく返信用ハガキＬで通知されたペットの情報欄６ｂが設けられ、ハガキＬの記載情報以外の詳細情報、例えばワクチンの種類、その最終接種��、血液型、現在治療中の病名、使用薬品名、かかりつけの動物病院名、同病院の電話番号等の詳細データ記載欄をも設けられている。【００２７】  図１０は、ペット用カルテ６の裏面部を示し、緊急時対応メッセージ欄７、例えば「日頃心掛けておくポイント」として、具体的には、「ケージに入ることを慣れさせておきましょう。」、「ドライフード、飲料水、常備薬の用意をしておきましょう。」等々のメッセージを記載し、ペットの飼い主を啓蒙する。【００２８】  図１１は、ペット用キャリーケージの商品販売者から該ペット用キャリーケージ購入者であるペット飼い主に付与される、どうぶつ母子手帳８の斜視図で、図１２は、同どうぶつ母子手帳の内容８ａの一部を示す平面図である。【００２９】  次に、本発明に係るケージＣの使用態様について説明する。本体１の前面枠１ａから後面枠１ａ’に向け、筒状に形成されたカバー２の後端部から、該カバー２の切欠部２ｄが把持部１ｅの位置に到達するまで挿入した後、カバー２の左右側面の切欠部２ｆ、２ｆ’及び２ｈ、２ｈ’が合致する本体１の通気窓の枠体に、面状ファスナー２ｊ、２ｊ’及び２ｋ、２ｋ’を介して止着し、ショルダーベルト４のフック４ａ、４ａ’を、本体１の前面枠１ａ及び後面枠１ａ’に張設された金属線条に掛吊する。そしてケージＣの購入者もしくはペット飼い主は、ポケット２ａには給水ボトル、ポケット２ｂには少なくとも１週間ないし１０日間分のペットフードを常時備蓄し、さらに収納部２ｃには、カルテ６、どうぶつ母子手帳８等の書面類を収納しておく。またペットも日頃からケージＣの使用に慣れさせておくようにする。【００３０】  本発明に係る、ペット用キャリーケージを用いたペット管理システム（以下、システムＳという）は、上述したケージＣ等を用いて作動するシステムであり、情報管理グループは、図１に示す情報管理者が運営、管理するコンピュータ１０、商品販売者２０の端末装置、緊急時対応委託業者（以下、委託業者という）６０から構成され、ペット支援グループは、ペット飼い主、獣医師の端末装置３０、保健所端末装置４０、動物愛護センターの端末装置５０及び行方不明ペットを発見、通報する善意の発見者Ｈ１、Ｈ２…から構成されている。Ｐ１、Ｐ２、Ｐ３…は、商品販売者２０からケージＣ又は識別タグ５等のペット関連商品を購入した顧客端末で、Ｔ１、Ｔ２…は、携帯電話顧客であり、図１に示すように、情報管理者のコンピュータ１０と獣医師の端末装置３０、保健所端末装置４０、動物愛護センター端末装置５０、委託業者６０…、顧客端末Ｐ１、Ｐ２、Ｐ３…等は、インターネットＮ又はＬＡＮ（Ｌｏｃａｌ  Ａｒｅａ  Ｎｅｔｗｏｒｋ）を介しネットワーク化されている。【００３１】  情報管理者が運営、管理するコンピュータ１０は、ペットとペット飼い主の個人情報等を入力する入力手段１０ａ、入力情報を記憶しデータベース１０ｂに蓄積する蓄積手段１０ｃ、データの検索手段１０ｄ、ペット情報等の更新、管理を行う管理手段１０ｅ及び携帯電話等を含む各種の通信手段１０ｆ、委託業者６０…に所属する緊急時対応チームのスタッフが常時、所持する携帯電話１０ｈの他、通常の周辺機器を具備している。【００３２】  本発明に係るシステムＳ���全体的な動作態様を、図２のフローチャートに基づいて説明する。商品販売者は、ケージＣを販売と同時に、識別タグ５と返信用ハガキＬを付与するか又は識別タグ５を所定料金で販売し（Ｓ１）、ハガキＬを受領したペット飼い主（顧客）は、図８に示す所定の情報を、これに記載して情報管理者に郵送（Ｓ２）し、送付されたハガキＬを受領した情報管理者は、その記載内容に基づいて各種情報を入力手段１０ａで入力してこれを蓄積し、また商品販売者は、識別タグ５のみの購入者には、管理番号５ｂ’を付与すると共に、情報管理者に管理番号５ｂ’、ペット名５ａ、飼い主（オーナー）名５ｃ、連絡用電話番号５等を端末装置２０等で送信し、情報管理者は、これを入力手段１０ａで入力し、これを蓄積手段１０ｃで蓄積する（Ｓ３）。【００３３】  情報管理者は、入力手段１０ａで入力し、蓄積手段１０ｃで蓄積したケージＣの購入者又は、識別タグ５購入者の関連情報を、情報管理者から遠隔地で営業する営業支店の端末装置に、通信手段１０ｆを介して配信（Ｓ４）すれば、各営業支店はそれぞれの端末装置でこれを受信して蓄積（Ｓ５）する。また情報管理者は、例えば１年間、平穏に過ぎてペットの管理又は保険等の更新時期が到来すれば、ペット飼い主（顧客）及び商品販売者にペット飼い主（顧客）等と予め決めていた連絡手段で、当該の更新情報を提供し（Ｓ４’）、商品販売者は、ペット関連商品の注文等を連絡する。【００３４】  飼い主（顧客）の居住地に大地震又は風水害等の緊急事態が発生（Ｓ６）した時、例えばペットが行方不明又は負傷等のトラブルが発生（Ｓ７）した時、飼い主（顧客）は情報管理者にペットの捜索等を要請（Ｓ８）し、これを受けて情報管理者は、インターネットＮ又はＬＡＮを介して各営業支店端末、獣医師端末３０、保健所端末４０、動物愛護センター端末５０等に、ペット発見又は連絡有無の確認（Ｓ９）、（Ｓ１０）を行う。【００３５】  獣医師、保健所、動物愛護センター等に行方不明又は負傷等のペットが発見されて届けられた時、ペットの識別タグ５に表記されている管理番号５ｂ又は５ｂ’等を確認（Ｓ１１）したら、それぞれの端末装置３０、４０、５０又は携帯電話その他の通信手段で管理番号５ｂ又は５ｂ’等の検索を情報管理者に依頼（Ｓ１２）し、情報管理者はこれを通信手段１０ｆでこれを受信し、データベース１０ｂに蓄積されている該当番号５ｂ又は５ｂ’について、ペットの飼い主（顧客）名、連絡先等を検索手段１０ｄで検索し（Ｓ１３）、当該する飼い主（顧客）にペットが発見された旨を送信（Ｓ１４）すると共に、発見されたペットの管理番号５ｂ又は５ｂ’等の検索依頼元（獣医師、保健所、動物愛護センター等）に飼い主（顧客）名の判明等を通信手段１０ｆで送信（Ｓ１５）し、各営業支店端末に検索の完了（Ｓ１６）を送信して終了する。【００３６】  また、善意の発見者Ｈ１、Ｈ２……により、行方不明のペットが発見され、情報管理者に管理番号５ｂ又は５ｂ’等が、携帯電話等により連絡（Ｓ１７）があったとき、情報管理者は、善意の発見者Ｈ１、Ｈ２……に情報提供に対する謝意を表明すると共に、直ちに、提供された管理番号５ｂ又は５ｂ’についての飼い主（顧客）名、連絡先等を検索手段��０ｄで検索し（Ｓ１３）、飼い主（顧客）名が判明したら、当該する飼い主（顧客）にペットが発見された旨を送信（Ｓ１４）すると共に、各営業支店端末に検索の完了（Ｓ１６）を送信して終了する。なお、ペットがＩＣチップを装着しているときは、スキャナーで各種情報を読み込み、そのデータを活用して上述の検索（Ｓ１３）作業が進められる。【００３７】  図１及び図２に示す委託業者６０…は、北海道から沖縄県まで１ないし複数設置され、情報管理者及び各営業支店と予め、例えば月間契約料、緊急時対応実費の支払い等について契約すると共に、個人情報保護法に関する覚書の締結等を行う。委託業者６０…は、販売者が非営業時、例えば、休日又は夜間等に大地震等が発生したとき、飼い主（顧客）からのペット捜索依頼や善意の発見者Ｈ１、Ｈ２……等からの通報や情報提供等に対応するためのもので、情報管理者及び各営業支店が非営業時は、その通信手段１０ｆは、留守番電話に切替えられ（Ｓ１８）、委託業者６０…の最寄りの電話番号が流され、飼い主（顧客）等は、携帯電話等で知らされた委託業者６０に用件を通報し、これを受けた委託業者６０は、該委託業者６０内における緊急対応スタッフの携帯電話１０ｈ…に連絡（Ｓ１９）して緊急呼集し、事後処理、例えば飼い主（顧客）、善意の発見者Ｈ１、Ｈ２……からの連絡、及び獣医師端末３０、保健所端末４０、動物愛護センター端末５０等からの送信等を受信し、情報管理者及び各営業支店の営業時刻になったら、直ちに事後処理の内容等を、インターネットＮ又はＬＡＮ等を介し情報管理者１０及び各営業支店の端末装置に送信し、案件が未解決のときは、情報管理者及び各営業支店は、継続して該案件が完了するまでその処理にあたる。
【図面の簡単な説明】
【００３８】
【図１】は、本発明に係る、ペット用キャリーケージを用いたペット管理システムの構成を示すブロック図である。
【図２】は、同管理システムにおける全体動作の流れを示すフローチャートである。
【図３】は、ペット用キャリーケージの全体斜視図である。
【図４】は、筒状カバーの展開平面図である。
【図５】（イ）、（ロ）は、表示体の平面図である。
【図６】（イ）、（ロ）は、ペット装着用識別タグの正面図と裏面図である。
【図７】は、返信用ハガキ表面の内容の一部を示す表面図である。
【図８】は、同ハガキ裏面における記載内容を示す裏面図である。
【図９】は、ペット用カルテの表面図である。
【図１０】は、同ペット用カルテの裏面図である。
【図１１】は、どうぶつ母子手帳の斜視図である。
【図１２】は、同どうぶつ母子手帳の内容の一部を示す平面図である。
【符号の説明】
【００３９】Ｓ                        システム
Ｎ                        インターネット
１０                      情報管理者のコンピュータ
２０                      商品販売者の端末装置
３０                      獣医師の端末装置
４０                      保健所の端末装置
５０                      動物愛護センターの端末装置
６０…                    緊急時対応委託業者
Ｐ１、Ｐ２、Ｐ３…        顧客端末
Ｔ１、Ｔ２…              携帯電話顧客
Ｈ１、Ｈ２…              善意の発見者
Ｃ                        ケージ
１                        本体
２                        カバー
２ａ                      給水ボトル用ポケット
２ｂ                      ペットフード用ポケット
２ｃ                      収納部
２ｄ                      切欠部
３、３’                  表示体
３ａ                      販売者名
３ｂ                      電話番号
３ｃ                      ケージ管理番号
４                        ショルダーベルト
４ａ、４ａ’              係止用フック
４ｂ                      肩当てパッド
４ｃ                      長さ調整具
５                        識別タグ
５ａ                      ペット名
５ｂ、５ｂ’              管理番号
６                        カルテ
７                        メッセージ欄
８                        どうぶつ母子手帳
Ｌ                        ハガキ
【図１】
2007209322.tif 000003
【図２】
2007209322.tif 000004
【図３】
2007209322.tif 000005
【図５】
2007209322.tif 000006
【図６】
2007209322.tif 000007
【図４】
2007209322.tif 000008
【図７】
2007209322.tif 000009
【図８】
2007209322.tif 000010
【図９】
2007209322.tif 000011
【図１０】
2007209322.tif 000012
【図１１】
2007209322.tif 000013
【図１２】
2007209322.tif 000014